【手続補正書】
【提出日】平成18年8月24日(2006.8.24)
【手続補正１】
【補正対象書類名】明細書
【補正対象項目名】０００３
【補正方法】変更
【補正の内容】
【０００３】
前記提案した製法の概要は、矩形状に切揃えた単板の所要枚数を、順次階段状にずらしながら重ねて接着する工程を繰返すＬＶＬの製法に於て、接着剤を塗布した単板を熱圧するに際し、該単板が常に、該単板を熱圧する熱圧体の熱圧範囲に位置するよう、都度ＬＶＬを所要位置へ移動させてから熱圧することを特徴とするものであって、より具体的な態様について説明すると、該製法の実施には、例えば図１３（イ）に例示する如き、必要に応じて加熱する固定盤Ａ、加熱蒸気・電熱器等の加熱源を介して加熱される図示矢印方向へ昇降可能な加熱盤Ｂ、正逆転可能な前コンベヤＣ、正逆転可能な補助コンベヤＤ、正逆転可能な後コンベヤＥ、単板の吸着機能及び開放機能を有し、少なくとも図示矢印方向へ昇降可能な吸着フードＦ（該吸着フードＦに連結する蛇腹管、吸引機等は図示省略）、各機器類の作動を制御する制御機構（図示省略）等を有する製造装置を用い、以下の順序で単板の接着を繰返す。
【手続補正２】
【補正対象書類名】明細書
【補正対象項目名】０００４
【補正方法】変更
【補正の内容】
【０００４】
即ち、例えば図１３（イ）の状態から一連の工程を始めるには、補助コンベヤＤ、後コンベヤＥを停止させ、現に製造しているＬＶＬ２を図示した位置に止めた状態に於て、次に接着すべき接着剤を塗布していない単板１ａを、前コンベヤＣを介して実線で示す位置から点線で示す位置へ、また一緒に接着すべき接着剤３を塗布した単板１ｂを、吸着フードＦを介して実線で示す位置から点線で示す位置へ夫々移送すると共に、少なくとも各単板１ａ・１ｂの移送を終える迄に、加熱盤Ｂを図示する位置へ上昇させる。尚、単板１ｂの移送を終えた吸着フードＦは、速やかに当初の位置へ上昇させる。
【手続補正３】
【補正対象書類名】明細書
【補正対象項目名】０００５
【補正方法】変更
【補正の内容】
【０００５】
次に、図１３（ロ）に示す如く、前コンベヤＣ、補助コンベヤＤ、後コンベヤＥを図示矢印方向へ正転させて、各単板１ａ・１ｂとＬＶＬ２を図示する位置へ移動させた後に、前コンベヤＣ、補助コンベヤＤ、後コンベヤＥを停止させ、各単板１ａ・１ｂとＬＶＬ２を図示した位置に止めた状態に於て、加熱盤Ｂを図示する位置へ下降させて、各単板１ａ・１ｂとＬＶＬ２とを接着する。また別途に、次に接着すべき接着剤３を塗布した単板１ｃを吸着フードＦに吸着させて、図示した位置に於て待機させる。
【手続補正４】
【補正対象書類名】明細書
【補正対象項目名】０００６
【補正方法】変更
【補正の内容】
【０００６】
次に、各単板１ａ・１ｂとＬＶＬ２の接着が終了したら、図１３（ハ）に示す如く、加熱盤Ｂを図示する位置へ上昇させ、次いで、前コンベヤＣ、補助コンベヤＤ、後コンベヤＥを図示矢印方向へ逆転させて、ＬＶＬ２（この時点では、既に単板１ａ・１ｂを含む）を図示する位置へ移動させた後に、前コンベヤＣ、補助コンベヤＤ、後コンベヤＥを停止させ、ＬＶＬ２を図示した位置に止めた状態に於て、次に接着すべき接着剤３を塗布した単板１ｃを、吸着フードＦを介して先記待機位置から図示する位置へ移動させる。尚、単板１ｃの移送を終えた吸着フードＦは、速やかに当初の位置へ上昇させる。
【手続補正５】
【補正対象書類名】明細書
【補正対象項目名】０００７
【補正方法】変更
【補正の内容】
【０００７】
次に、図１３（ニ）に示す如く、前コンベヤＣ、補助コンベヤＤ、後コンベヤＥを図示矢印方向へ正転させて、単板１ｃとＬＶＬ２を図示する位置へ移動させた後に、前コンベヤＣ、補助コンベヤＤ、後コンベヤＥを停止させ、単板１ｃとＬＶＬ２を図示した位置に止めた状態に於て、加熱盤Ｂを図示する位置へ下降させて、単板１ｃとＬＶＬ２とを接着する。また別途に、次に接着すべき接着剤３を塗布した単板１ｄを吸着フードＦに吸着させて、図示した位置に於て待機させる。
【手続補正６】
【補正対象書類名】明細書
【補正対象項目名】０００８
【補正方法】変更
【補正の内容】
【０００８】
次に、単板１ｃとＬＶＬ２の接着が終了したら、図１３（ホ）に示す如く、加熱盤Ｂを図示する位置へ上昇させ、次いで、前コンベヤＣ、補助コンベヤＤ、後コンベヤＥを図示矢印方向へ逆転させて、ＬＶＬ２（この時点では、既に単板１ｃも含む）を図示する位置へ移動させた後に、前コンベヤＣ、補助コンベヤＤ、後コンベヤＥを停止させ、ＬＶＬ２を図示した位置に止めた状態に於て、次に接着すべき接着剤３を塗布した単板１ｄを、吸着フードＦを介して先記待機位置から図示する位置へ移動させる。尚、単板１ｄの移送を終えた吸着フードＦは、速やかに当初の位置へ上昇させる。
【手続補正７】
【補正対象書類名】明細書
【補正対象項目名】０００９
【補正方法】変更
【補正の内容】
【０００９】
次に、図１３（ヘ）に示す如く、前コンベヤＣ、補助コンベヤＤ、後コンベヤＥを図示矢印方向へ正転させて、単板１ｄとＬＶＬ２を図示する位置へ移動させた後に、前コンベヤＣ、補助コンベヤＤ、後コンベヤＥを停止させ、単板１ｄとＬＶＬ２を図示した位置に止めた状態に於て、加熱盤Ｂを図示する位置へ下降させて、単板１ｄとＬＶＬ２とを接着する。また別途に、次に接着すべき接着剤を塗布していない単板１ｅを前コンベヤＣに載せて、図示した位置に於て待機させると共に、一緒に接着すべき接着剤３を塗布した単板１ｆを吸着フードＦに吸着させて、図示した位置に於て待機させる。
【手続補正８】
【補正対象書類名】明細書
【補正対象項目名】００１０
【補正方法】変更
【補正の内容】
【００１０】
単板１ｄとＬＶＬ２の接着がしたら、再び図１３（イ）に示す工程に戻って、単板１ｅ・１ｆを実線で示す位置から点線で示す位置へ夫々移送し、以下同様の工程を繰返すことにより、順次単板１ａ〜１ｚ（理論的には、ｚは無限大）を階段状にずらしながら重ねて接着することができるので、後コンベヤＥの後位に於て所望長さ毎に切断することにより、所望長さのＬＶＬを得ることができる。尚、前記工程図に於ては、接着剤の存在を明確化する便宜上、接着剤を点線状に表記したが、接着剤の塗布形態について特に制約はなく、例えば薄膜状・細紐状・点状等々、従来公知の種々の塗布形態を採用して差支えない。
【手続補正９】
【補正対象書類名】明細書
【補正対象項目名】００１２
【補正方法】変更
【補正の内容】
【００１２】
しかし、図１３（イ）〜図１３（ヘ）の実例に示す如く、専らＬＶＬの片面側（実例は上面側）へ一枚づつ単板を重ねて接着する工程の形態では、生産性の大幅な良化が望めないことから、図示は省略したが、ＬＶＬの上面側と下面側との夫々へ一枚づつ単板を供給し、階段状にずらしながら重ねて接着する（先記固定盤を加熱盤と同様に加熱する必要がある）形態も、先記公報に於て併せて提案し、生産性の一層の良化を図っているが、それでも生産性の良化が十分であるとは言い難い。
【手続補正１０】
【補正対象書類名】明細書
【補正対象項目名】００１３
【補正方法】変更
【補正の内容】
【００１３】
そこで更に、ＬＶＬの所望の面側へ複数枚の単板を直列的に並べて一緒に供給し、階段状にずらしながら重ねて接着する形態も、先記公報に於て併せて提案し、生産性の更なる良化を図っており、該形態をより具体的に説明すると、前記図１３の例に準じて、例えば図１４（イ）に示す如く、固定盤Ａ、加熱盤Ｂ、前コンベヤＣ、補助コンベヤＤ、後コンベヤＥ、吸着フードＦ等を有する製造装置を用いて実施するが、固定盤Ａ、加熱盤Ｂについては、複数枚（実例は２枚）の単板が熱圧可能な構成とすると共に、吸着フードＦについても、複数枚の単板の夫々を吸着可能な構成とする。
【手続補正１１】
【補正対象書類名】明細書
【補正対象項目名】００１４
【補正方法】変更
【補正の内容】
【００１４】
供給する単板が複数枚であっても、製造工程は、前記図１３の例と全く同様であって、図１４（イ）に示す如く、補助コンベヤＤ、後コンベヤＥを停止させ、現に製造しているＬＶＬ２を図示した位置に止めた状態に於て、次に接着すべき接着剤を塗布していない単板１ｈ・１ｍを、前コンベヤＣを介して実線で示す位置から点線で示す位置へ、また一緒に接着すべき接着剤３を塗布した単板１ｎ・１ｒを、吸着フードＦを介して実線で示す位置から点線で示す位置へ夫々移送すると共に、少なくとも各単板１ｈ・１ｍ・１ｎ・１ｒの移送を終える迄に、加熱盤Ｂを図示する位置へ上昇させる。尚、単板１ｎ・１ｒの移送を終えた吸着フードＦは、速やかに当初の位置へ上昇させる。
【手続補正１２】
【補正対象書類名】明細書
【補正対象項目名】００１８
【補正方法】変更
【補正の内容】
【００１８】
以下、同様に図１３（ホ）及び図１３（ヘ）の例に準ずる工程を経て図１４（イ）の状態に戻る一連の工程を繰返すことによって、長さに制約のない長尺のＬＶＬを得ることができるが、図１４の実例の如く、ＬＶＬの片面側へ一緒に２枚の単板を供給する形態を採れば、図１３の例に比べて生産性が倍増する。更に図示は省略したが、同じくＬＶＬの片面側へ一緒に３枚の単板を供給する形態を採れば、生産性が３倍に、また、ＬＶＬの片面側へ一緒に４枚の単板を供給する形態を採るか、或はＬＶＬの両面側の夫々へ、一緒に２枚づつ単板を供給する形態を採れば、生産性が４倍になるなど、この種のＬＶＬの製法に於て、複数枚の単板を直列的に並べて一緒に供給する形態による生産性の良化効率は著大である。
【手続補正１３】
【補正対象書類名】明細書
【補正対象項目名】００２０
【補正方法】変更
【補正の内容】
【００２０】
而して、述上の如き単板の端部の定規出しには、例えば「板状体の位置出し搬送装置及び板状体の位置出し方法」（特開２００３−１０４５２８号公報）・「板状体の位置出し搬送方法及び装置」（特開２００３−１５５１１４号公報）等に開示される如き、回動出没式の定規を有する定規出し機構が用いられるのが一般的であり、該定規出し機構を先記図１３の例に於ける前コンベヤに適用したとすると、例えば図１５（イ）に例示する如く、ＬＶＬ２の最後端から適宜距離Ｌ１離れた位置を定規出し位置とする回動出没式の定規４、該定規４を適時図示矢印方向へ交互に起立・転倒させるロータリーシリンダ・サーボモータ等から成る作動機構５等を有する定規出し機構Ｇを、前コンベヤＣに併設し、接着剤を塗布していない単板１ａの前端部を、作動機構５を介して起立させた定規４に当接させて定規出しを行い、次いで図１５（ロ）に例示する如く、作動機構５を介して定規４を転倒させる（必要に応じては、転倒時に前コンベヤＣによる移送を暫時中止し）と共に、前コンベヤＣを介して単板１ａを距離Ｌ１だけ移送し（必要に応じては、ピンチロールの併設など、適宜のスリップ予防処置を施して）、更に前コンベヤＣを停止させることによって、単板１ａの定規出しと所望の位置への移送とを格別支障なく実施することができる。